(57)【要約】【課題】作業負担を軽減することができる紙葉類処理システム及び紙葉類処理方法を提供することである。【解決手段】実施形態の紙葉類処理システムは、鑑査機と、回収票発行部と、作成部と、検索部とを持つ。鑑査機は、結束材により所定の枚数の紙葉類を結束した束から前記結束材を取り外して収納部に収納する破封部を備える。回収票発行部は、前記収納部から回収されて一纏めにされた結束材群に対して、前記結束材群を識別するための結束材群識別情報が記載された回収票を発行する。作成部は、前記鑑査機による処理単位に含まれる紙葉類群を識別するためのバッチ情報と前記結束材群識別情報とを対応付けた対応情報を作成する。検索部は、前記対応情報を参照して、前記バッチ情報に対応する前記結束材群識別情報を検索し、検索により得た前記結束材群識別情報を出力部から出力させる。【選択図】図３
2015170058.tif 000002
【特許請求の範囲】
【請求項１】
結束材により所定の枚数の紙葉類を結束した束から前記結束材を取り外して収納部に収納する破封部を備える鑑査機と、
前記収納部から回収されて一纏めにされた結束材群に対して、前記結束材群を識別するための結束材群識別情報が記載された回収票を発行する回収票発行部と、
前記鑑査機による処理単位に含まれる紙葉類群を識別するためのバッチ情報と前記結束材群識別情報とを対応付けた対応情報を作成する作成部と、
前記対応情報を参照して、前記バッチ情報に対応する前記結束材群識別情報を検索し、検索により得た前記結束材群識別情報を出力部から出力させる検索部と、
を備える紙葉類処理システム。
【請求項２】
前記結束材群識別情報は、前記束から前記結束材が取り外される順番に連続する一連情報、又は、前記収納部から前記結束材が回収される順番に連続する一連情報である請求項１に記載の紙葉類処理システム。
【請求項３】
前記鑑査機は、前記束から取り外される前の前記結束材を撮影する撮影部をさらに備え、
前記作成部は、前記撮影部が撮影した画像をさらに前記バッチ情報に対応付けて前記対応情報を作成し、
前記検索部は、前記バッチ情報に対応する画像をさらに検索し、検索により得た前記画像を前記出力部から出力させる請求項１又は２に記載の紙葉類処理システム。
【請求項４】
前記鑑査機は、前記束から前記結束材が取り外される日時に応じた印刷色で、前記束を識別する束識別情報を前記結束材に印刷する印刷部をさらに備える請求項１から３のうちいずれか一項に記載の紙葉類処理システム。
【請求項５】
前記検索部は、前記処理単位に含まれる紙葉類群に過不足があった場合、過不足があった前記紙葉類群に対応する前記結束材群識別情報を検索する請求項１から４のうちいずれか一項に記載の紙葉類処理システム。
【請求項６】
結束材により所定の枚数の紙葉類を結束した束から前記結束材を取り外して収納部に収納するステップと、
前記収納部から回収されて一纏めにされた結束材群に対して、前記結束材群を識別するための結束材群識別情報が記載された回収票を発行するステップと、
所定の処理単位に含まれる紙葉類群を識別するためのバッチ情報と前記結束材群識別情報とを対応付けた対応情報を作成するステップと、
前記対応情報を参照して、前記バッチ情報に対応する前記結束材群識別情報を検索し、検索により得た前記結束材群識別情報を出力部から出力させるステップと、
を備える紙葉類処理方法。
【発明の詳細な説明】
【技術分野】
【０００１】
本発明の実施形態は、紙葉類処理システム及び紙葉類処理方法に関する。
【背景技術】
【０００２】
所定枚数の紙葉類が結束材で結束された紙葉類の束が投入され、束を破封して結束材を収納部に収納すると共に、破封した紙葉類を鑑別して所定条件を満たす紙葉類の枚数を計数する紙葉類処理装置がある。この紙葉類処理装置では、所定条件を満たさない紙葉類は排除され、処理単位ごとに排除箱に収容される。作業者は、排除箱に集積された紙葉類を取り出し、排除された紙葉類の枚数を処理単位ごとにデータベースに登録するとともに、紙葉類処理装置における計数結果を参照して、束に含まれる紙葉類の枚数が決められた枚数と合致するかどうかを確認する。束に含まれる紙葉類の枚数が決められた枚数と合致しない場合、作業者は、紙葉類処理装置により破封された複数の結束材の中から、枚数が合致しない束の結束材を探し出さなければならない。
しかしながら、紙葉類処理装置の収納部から結束材が複数回にわたって回収され、複数の回収袋に分けてまとめられている場合、計数結果と排除された紙葉類の枚数が合致しない束の結束材が含まれる回収袋がどれであるか不明である。このため、作業者は、複数の袋の中を確認して、枚数が合致しない束の結束材を探さなければならず、多大な作業負担がかかっていた。
【先行技術文献】
【特許文献】
【０００３】
【特許文献１】特開昭６４−４１０８７号公報
【特許文献２】特開昭６４−３８８９３号公報
【特許文献３】米国特許第５０１２９３２号明細書
【発明の概要】
【発明が解決しようとする課題】
【０００４】
本発明が解決しようとする課題は、作業負担を軽減することができる紙葉類処理システム及び紙葉類処理方法を提供することである。
【課題を解決するための手段】
【０００５】
実施形態の紙葉類処理システムは、鑑査機と、回収票発行部と、作成部と、検索部とを持つ。鑑査機は、結束材により所定の枚数の紙葉類を結束した束から前記結束材を取り外して収納部に収納する破封部を備える。回収票発行部は、前記収納部から回収されて一纏めにされた結束材群に対して、前記結束材群を識別するための結束材群識別情報が記載された回収票を発行する。作成部は、前記鑑査機による処理単位に含まれる紙葉類群を識別するためのバッチ情報と前記結束材群識別情報とを対応付けた対応情報を作成する。検索部は、前記対応情報を参照して、前記バッチ情報に対応する前記結束材群識別情報を検索し、検索により得た前記結束材群識別情報を出力部から出力させる。
【図面の簡単な説明】
【０００６】
【図１】小束Ｓの一例を示す図である。
【図２】大束Ｂの一例を示す図である。
【図３】第１実施形態に係る紙葉類処理システム１の一例を示す図である。
【図４】大帯Ｂｗの印刷例を示す図である。
【図５】小帯Ｓｗの印刷例を示す図である。
【図６】第１実施形態に係る鑑査機１０の構成例を示すブロック図である。
【図７】収納通番対応テーブル１０１２Ａの一例を示す図である。
【図８】大帯通番開始値記憶領域１０１２Ｂの一例を示す図である。
【図９】小帯通番開始値記憶領域１０１２Ｃの一例を示す図である。
【図１０】紙葉類処理システム１による処理例を示すフローチャートである。
【図１１】回収袋Ｃ１〜Ｃ４を示す図である。
【図１２】鑑査機１０による破封処理の一例を示すフローチャートである。
【図１３】鑑査機１０による鑑査計数処理の一例を示すフローチャートである。
【図１４】排除券登録装置４０による排除券処理の一例を示すフローチャートである。
【図１５】検索部４５による検索結果の出力例を示す図である。
【図１６】第２の実施形態の回収通番対応テーブル１０１２Ｄの一例を示す図である。
【図１７】大帯回収通番記憶領域１０１２Ｅの一例を示す図である。
【図１８】小帯回収通番記憶領域１０１２Ｆの一例を示す図である。
【図１９】第３の実施形態の鑑査機１０Ａの構成例を示すブロック図である。
【図２０】第３の実施形態の収納通番対応テーブル１０１２Ｇの一例を示す図である。
【発明を実施するための形態】
【０００７】
以下、実施形態の紙葉類処理システムを、図面を参照して説明する。
（第１の実施形態）
実施形態に係る紙葉類処理システム１では、紙葉類として、例えば、紙幣Ｐが取り扱われる。以下、紙葉類が紙幣Ｐである例について説明するが、紙葉類は紙幣Ｐに限られない。
はじめに、図１，２を参照して、紙葉類処理システム１が取り扱う紙幣Ｐの一例について説明する。図１は、各券種１００枚の紙幣Ｐを帯紙で封をした束（以下、小束Ｓという、単位「把」）の一例を示す図である。図２は、小束Ｓを１０把重ねて帯紙で封をした束（以下、大束Ｂという、単位「束」）の一例を示す図である。
【０００８】
紙幣Ｐは、各金融機関等において、各券種１００枚以上の保管又は授受の際、同一券種１００枚ごとに、小帯Ｓｗが巻き付けられて封がされる。このように複数の紙幣Ｐが帯紙等の結束材によりまとめられることを、施封という。小帯Ｓｗは、紙幣Ｐの短辺方向に巻き付けられる。小帯Ｓｗには、図１に示す通り、例えば、銀行の商標マークと銀行名等が印刷されており、取扱者により取扱い日時を含む支店名印、及び取扱者印等が押印される。
同一券種の１０把以上の小束Ｓを保管又は授受の際、１０把の小束Ｓが積み重ねられた状態で、大帯Ｂｗが巻き付けられて封がされる。図示の例では、大帯Ｂｗは、紙幣Ｐの短辺方向に巻き付けられる帯紙と、この帯紙よりも外側であって紙幣Ｐの長辺方向に巻き付けられる帯紙とを含む。また、短辺方向に巻き付けられる大帯Ｂｗは、小帯Ｓｗよりも幅が広く、取扱者により、銀行名と店名と取扱い日時とを含む印、及び取扱者印が押印される。
【０００９】
各銀行の各店舗同士あるいは銀行同士、又、各銀行と中央銀行との間では、大束Ｂを１つの単位として、紙幣Ｐの授受が行われている。銀行から大束Ｂを受け取る受取り側では、受取った現物に過不足があるかどうかを確認する。過不足があった場合、回収された大帯Ｂｗ又は小帯Ｓｗに基づき、過不足があった大束Ｂが何処の銀行の何処の支店から持ち込まれた大束Ｂであるかが追跡される。このため、受け取り側は、受取った現物の妥当性が確認されるまで、破封した大帯Ｂｗと小帯Ｓｗを保管する。そして、過不足が発生したときに、受け取り側は、保管していた大帯Ｂｗ及び小帯Ｓｗの中から該当する帯紙を探し出し、過不足のあった大束Ｂに変わる現物として、大帯Ｂｗ及び小帯Ｓｗを受け渡し元である銀行に提示する。
【００１０】
例えば、各銀行から大束Ｂを受け取る中央銀行等では、各銀行から現送される現物について、真偽及び正損の鑑別処理と、計数処理とを実行した後、再流通させる紙幣Ｐ（以下、正券という）、再流通させない紙幣Ｐ（以下、損券という）に仕分けする。中央銀行では、正券を小束Ｓ及び大束Ｂに施封して各金融機関へ送付し、損券を裁断して消却している。また、中央銀行では、正券と損券とに鑑別するときに、偽券と判定された紙幣Ｐ等を排除して排除券として回収する。実施形態に係る紙葉類処理システム１が備える鑑査機は、これらの一連の作業を機械化したシステムである。
【００１１】
図３は、実施形態に係る紙葉類処理システム１の一例を示す図である。本実施形態に係る紙葉類処理システム１は、複数の鑑査機１０（１１，１２，１３・・・）と、データ収集装置２０と、帳票プリンタ３０と、排除券登録装置４０とを備える。複数の鑑査機１０と、データ収集装置２０と、帳票プリンタ３０と、排除券登録装置４０とは、それぞれネットワークを介して通信可能に接続されている。
【００１２】
鑑査機１０には、鑑査作業者による手操作で大束Ｂが投入される。鑑査機１０は、投入された大束Ｂから大帯Ｂｗを破封し、小束Ｓから小帯Ｓｗを破封し、破封した大帯Ｂｗと小帯Ｓｗとをそれぞれ収納カセットに保管する。なお、鑑査機１０は、大帯Ｂｗを破封する前に、大帯Ｂｗに大束識別情報（以下、大束ＩＤという）と鑑査機識別情報とを印刷する。また、鑑査機１０は、小帯Ｓｗを破封する前に、小帯Ｓｗに小束識別情報（以下、小束ＩＤという）と鑑査機識別情報とを印刷する。大束ＩＤは、大束Ｂを識別するための情報であり、小束ＩＤは、小束Ｓを識別するための情報である。鑑査機識別情報は、鑑査機１１，１２，１３・・・のそれぞれを識別するための情報である。
【００１３】
鑑査機１０は、小帯Ｓｗを破封した紙幣Ｐを鑑別（真偽判別及び正損判別）するとともに、鑑別結果に応じて所定条件を満たす紙幣Ｐの枚数を計数する。鑑査機１０は、所定条件を満たす紙幣Ｐを、再び新しい小帯Ｓｗ又は新しい大帯Ｂｗで施封し、大束Ｂを排出する。一方、鑑査機１０は、所定条件を満たさない紙幣Ｐのうち、損券は裁断して消却し、偽券等を含む排除券は排除券集積カセットに集積する。なお、排除券集積カセットには、大束Ｂの処理が終了するごとに、バッチカードが差し込まれ、各大束Ｂに含まれる排除券がバッチカードで仕切られている。バッチカードには、各バッチカードを識別するためのバッチ情報を記憶するバーコードが記載されている。
【００１４】
データ収集装置２０は、鑑査機１０による鑑別結果と計数結果を示す情報、及び、排除券登録装置４０により登録される登録情報を収集し、管理する。実施形態において、データ収集装置２０は、バッチ情報に対応付けて、収集した情報を管理する。バッチ情報に収集した情報を対応付けた情報を、以下、対応情報という。
データ収集装置２０は、通信部２１と、作成部２２と、記憶部２３とを備える。通信部２１は、ネットワークを介して複数の鑑査機１０及び排除券登録装置４０との間で通信を行う。作成部２２は、通信部２１を介して受信した情報に基づき、対応情報を所定のテーブルに書き込む。記憶部２３は、作成部２２により書き込まれる情報を所定のテーブルで対応付けて記憶する。
【００１５】
帳票プリンタ３０は、鑑査機１０に収納されている大帯Ｂｗ、小帯Ｓｗが回収されるときに、回収される大帯Ｂｗ、小帯Ｓｗに対応する情報（以下、回収情報という）を印刷した回収票を発行する。帳票プリンタ３０は、通信部３１と、回収票発行部３２と、印刷部３３とを備える。通信部３１は、ネットワークを介して複数の鑑査機１０との間で通信を行う。回収票発行部３２は、通信部３１を介して鑑査機１０から受信した回収情報に基づき、回収票に印刷するデータを作成し、印刷部３３に出力する。印刷部３３は、回収票発行部３２から入力したデータを所定の回収票用紙に印刷して、回収票を発行する。
【００１６】
排除券登録装置４０は、通信部４１と、読取部４２と、入力部４３と、登録部４４と、検索部４５と、出力部４６と、を備える。通信部４１は、ネットワークを介してデータ収集装置２０との間で通信を行う。読取部４２は、バッチカードに記載されたバーコードからバッチ情報を読み取り、登録部４４に出力する。入力部４３は、キーボード、マウス、テンキー等であって、登録作業者からの操作により入力される情報を受け付け、登録部４４に出力する。登録部４４は、読取部４２が読み取った情報、又は、入力部４３から入力する情報を、通信部４１を介してデータ収集装置２０に送信し、データ収集装置２０の記憶部２３に登録させる。検索部４５は、データ収集装置２０の記憶部２３に記憶されている対応情報を参照して、バッチ情報に対応する情報を検索し、検索結果を出力部４６から出力させる。出力部４６は、例えば、ディスプレイ、スピーカー等であって、検索部４５による検索結果を出力する。なお、出力部４６は、プリンタ等であってもよく、検索部４５による検索結果を印刷してもよい。
【００１７】
排除券登録装置４０の入力部４３からは、例えば、登録作業を実行する登録作業者により計数された排除券の枚数を示す情報が手入力される。登録作業者は、バッチカードで区分される処理単位ごとに、排除券の枚数を計数する。実施形態おいて、鑑査機１０の排除券集積カセットには、処理単位ごとの排除券が、バッチカードを挟んで積み重なっている。登録作業者は、２枚のバッチカードの間に挟まれた状態の排除券を１つの処理単位として扱い、排除券の枚数を計数する。また、登録作業者は、読取部４２を介してバーコードからバッチ情報を読み取らせる。そして、登録部４４が、入力部４３から入力する処理単位ごとの排除券の枚数と、処理単位に対応するバッチカードから読取部４２が読み取ったバッチ情報とを対応付けて、データ収集装置２０に登録させる。
【００１８】
次に、図４，５を参照して、大帯Ｂｗに印刷される情報と小帯Ｓｗに印刷される情報の一例について説明する。
図４は、大帯Ｂｗの印刷例を示す図である。図４に示す通り、大帯Ｂｗには、大束ＩＤ「００１」と、鑑査機識別情報「＃１」とが印刷される。
図５は、小帯Ｓｗの印刷例を示す図である。図５に示す通り、小帯Ｓｗには、小束ＩＤ「００１０３」と、鑑査機識別情報「＃１」とが印刷される。
これら大束ＩＤ、小束ＩＤ、鑑査機識別情報が印刷される位置は、大帯Ｂｗ又は小帯Ｓｗに既に記載されている情報と重ならない位置であって、予め決められている。
【００１９】
次に、図６を参照して、鑑査機１０の構成例について説明する。図６は、鑑査機１０の構成例を示すブロック図である。なお、他の鑑査機１１，１２，１３・・・は、鑑査機１０と同様の構成を有するため、詳細な説明は省略する。
鑑査機１０は、投入部１０１と、大束処理部１０２と、小束処理部１０３と、区分処理部１０４と、排除券処理部１０５と、裁断部１０６と、正券処理部１０７と、排出部１０８と、制御部１０１０と、操作部１０１１と、記憶部１０１２とを備える。制御部１０１０は、投入部１０１と、大束処理部１０２と、小束処理部１０３と、区分処理部１０４と、排除券処理部１０５と、裁断部１０６と、正券処理部１０７と、排出部１０８とそれぞれ接続されており、紙幣の処理工程に合わせて、各部の動作を制御する。
【００２０】
投入部１０１は、投入口１１１を備える。処理対象となる紙幣Ｐは、大束単位で、投入口１１１から鑑査作業者の手操作にて投入される。投入部１０１は、鑑査作業者による操作部１０１１からの指示操作に基づき、投入口１１１から投入された大束Ｂを、大束処理部１０２に送り出す。
【００２１】
大束処理部１０２は、大束搬送部１２１と、大帯印刷部１２２と、大帯破封部１２３と、大帯収納カセット１２４とを備える。大束搬送部１２１は、投入部１０１から送り込まれてきた大束Ｂを、大帯印刷部１２２、大帯破封部１２３の順番に搬送し、大帯破封部１２３により大帯Ｂｗが破封された大束Ｂから小束Ｓを１束ずつ順次取り出し、小束処理部１０３に送り出す。大束処理部１０２による処理が開始された場合、制御部１０１０は、大束Ｂを識別するための大束ＩＤを発行し、大帯印刷部１２２に出力すると共に、記憶部１０１２に書き込む。大帯印刷部１２２は、大束搬送部１２１により搬送される大束Ｂの大帯Ｂｗに、制御部１０１０により発行された大帯ＩＤを印刷する。大帯破封部１２３は、大帯ＩＤが印刷された大帯Ｂｗを大束Ｂから取り外し、取り外した大帯Ｂｗを大帯収納カセット１２４に排出する。
【００２２】
小束処理部１０３は、小束搬送部１３１と、小帯印刷部１３２と、小帯破封部１３３と、小帯収納カセット１３４とを備える。小束搬送部１３１は、大束処理部１０２から送り込まれてきた小束Ｓを、小帯印刷部１３２、小帯破封部１３３の順番に搬送し、小帯破封部１３３により小帯Ｓｗが破封された小束Ｓを一束ずつ順次、区分処理部１０４に送り出す。小束処理部１０３による処理が開始された場合、制御部１０１０は、小束Ｓを識別するための小束ＩＤを発行し、小帯印刷部１３２に出力すると共に、記憶部１０１２に書き込む。小帯印刷部１３２は、小束搬送部１３１により搬送される小束Ｂの小帯Ｓｗに、制御部１０１０により発行された小帯ＩＤを印刷する。小帯破封部１３３は、小帯ＩＤが印刷された小帯Ｓｗを小束Ｂから取り外し、取り外した小帯Ｓｗを小帯収納カセット１３４に排出する。
【００２３】
区分処理部１０４は、紙幣搬送部１４１と、紙幣供給部１４２と、鑑別計数部１４３とを備える。紙幣供給部１４２は、小束処理部１０３から送り込まれてきた小束Ｓから紙幣Ｐを一枚ずつ取り出し、紙幣搬送部１４１に排出する。紙幣搬送部１４１は、紙幣供給部１４２が取り出した紙幣Ｐを一枚ずつ、鑑別計数部１４３に搬送する。また、紙幣搬送部１４１は、鑑別計数部１４３による鑑別結果に応じて、紙幣Ｐの搬送先を決定し、排除券処理部１０５、裁断部１０６、又は正券処理部１０７のいずれかに紙幣Ｐを送り出す。
【００２４】
鑑別計数部１４３は、紙幣搬送部１４１により搬送されている紙幣Ｐの正損検出および真偽検出を行う。鑑別計数部１４３は、真偽検出に基づく鑑別結果が偽券である紙幣Ｐや、搬送状態が基準姿勢からずれている紙幣Ｐ等を排除券として、排除券処理部１０５に送り出す。鑑別計数部１４３は、正損検出に基づく鑑別結果が損券である紙幣Ｐを、裁断部１０６に送り出す。鑑別計数部１４３は、排除券でない紙幣Ｐと損券でない紙幣Ｐとを、正券として正券処理部１０７に送り出す。鑑別計数部１４３は、排除券以外の紙幣Ｐ（正券と損券とを含む紙幣Ｐ）の枚数を計数し、計数結果を制御部１０１０に出力する。鑑別計数部１４３は、小束Ｓごとに鑑別計数処理を実行し、処理が完了したことを示す処理完了通知を制御部１０１０に出力する。制御部１０１０は、鑑別計数部１４３から処理完了通知を入力した後、小束処理部１０３に対して、次の小束Ｓの破封を指示する。
【００２５】
排除券処理部１０５は、排除券搬送部１５１と、バッチカード供給部１５２と、バッチ情報読取部１５３と、排除券カセット１５４とを備える。排除券搬送部１５１は、紙幣搬送部１４１から送り出された紙幣Ｐを排除券カセット１５４に送り出す。バッチカード供給部１５２は、制御部１０１０の制御の下、１つの大束Ｂの処理が完了した後、収容しているバッチカードを排除券カセット１５４に排出する。これにより、排除券カセット１５４に収容される大束Ｂ排除券が、大束Ｂごとに、バッチカードにより仕切られる。バッチ情報読取部１５３は、バッチカード供給部１５２から供給されるバッチカードに記載されたバーコードからバッチ情報を読み取り、読取ったバッチ情報を制御部１０１０に出力する。
【００２６】
裁断部１０６は、紙幣搬送部１４１から送り出された紙幣Ｐを裁断し、消却する。
【００２７】
正券処理部１０７は、正券搬送部１７１と、正券集積部１７２と、小帯施封部１７３と、小束集積部１７４と、大帯施封部１７５とを備える。正券搬送部１７１は、紙幣搬送部１４１から送り出された紙幣Ｐを、正券集積部１７２、小帯施封部１７３、小束集積部１７４、大帯施封部１７５の順番に搬送する。正券集積部１７２は、２つの集積部を備え、各集積部に１００枚の紙幣Ｐを交互に集積する。具体的に説明すると、一方の集積部に集積される紙幣Ｐが１００枚に到達した時点で、正券集積部１７２は、以降に搬送されて来る紙幣Ｐの搬送先をもう一方の集積部に切り替える。正券搬送部１７１は、正券集積部１７２により集積された１００枚分の紙幣Ｐを、集積した状態で小帯施封部１７３に送り出す。
【００２８】
小帯施封部１７３は、正券集積部１７２から送り出された１００枚分の紙幣Ｐに新たな小帯Ｓｗを巻き付けて、施封する。これにより、集積された１００枚の紙幣Ｐが小束Ｓとなる。小帯施封部１７３は、印刷機構を備え、小束Ｓの小帯Ｓｗに、鑑査機１０の鑑査機識別情報等を印刷する。正券搬送部１７１は、小帯施封部１７３により施封された小束Ｓを小束集積部１７４に送り出す。
また、正券搬送部１７１は、小束集積部１７４に集積された小束Ｓが１０把に到達した場合、１０把の小束Ｓを積層した状態で大帯施封部１７５に送り出す。大帯施封部１７５は、小束集積部１７４から送り出された１０把の小束Ｓに新たな大帯Ｂｗを巻き付けて、施封する。これにより、集積された１０把の小束Ｓが大束Ｂとなる。大帯施封部１７５は、印刷機構を備え、大束Ｂの大帯Ｂｗに、鑑査機１０の鑑査機識別情報等を印刷する。正券搬送部１７１は、大帯施封部１７５により施封された大束Ｂを排出部１０８に送り出す。
【００２９】
排出部１０８は、大束排出部１８１と、大束排出口１８２とを備える。大束排出部１８１は、印刷機構を備え、大束Ｂの大帯Ｂｗに、銀行名や店名印を押印した後、大束排出口１８２から排出する。
【００３０】
制御部１０１０は、操作部１０１１を介して鑑査作業者から入力される操作、及び、鑑査機１０の処理段階等に応じて、鑑査機１０を統括的に制御する。
操作部１０１１は、鑑査作業者が操作するキーボード、所定の操作キー等である。操作部１０１１は、鑑査作業者からの操作を受け付け、受け付けた操作内容を示す情報を制御部１０１０に出力する。
【００３１】
次に、図７〜９を参照して、鑑査機１０の記憶部１０１２に格納される対応情報の一例について説明する。記憶部１０１２は、図７に示す収納通番対応テーブル１０１２Ａに対応情報を記憶する。また、記憶部１０１２は、大帯通番の開始値を記録する大帯通番開始値記憶領域１０１２Ｂ（図８参照）と、小帯通番の開始値を記録する小帯通番開始値記憶領域１０１２Ｃ（図９参照）とを備える。
図７は、記憶部１０１２に格納される収納通番対応テーブル１０１２Ａの一例を示す図である。図７に示す通り、収納通番対応テーブル１０１２Ａは、大束ＩＤと、小束ＩＤと、大帯収納通番と、小帯収納通番と、バッチ情報と、計数結果とを対応付けるテーブルである。なお、大帯収納通番と小帯収納通番とは、結束材（大帯Ｂｗ又は小帯Ｓｗ）を識別するための結束材群識別情報であって、大帯収納カセット１２４又は小帯収納カセット１３４から回収されて一纏めにされた結束材群（複数の大帯Ｂｗ又は複数の小帯Ｓｗ）に対して割り当てらえる情報である。
図示の例では、大束ＩＤ：「００１」〜「００６」が割り当てられた合計６束の大束Ｂ００１〜大束Ｂ００６を処理した後に作成される情報を示す。小束ＩＤ：「００１０１」〜「００１１０」が割り当てらえた１０把の小束Ｓ００１０１〜小束Ｓ００１１０は、大束Ｂ００１に含まれる小束Ｓである。
【００３２】
大帯収納通番は、大束Ｂ（大帯Ｂｗ）に対応する通番の一例であって、開始値と付与値とを含む。大帯収納通番は、回収される大帯Ｂｗごとに制御部１０１０により割り当てられる値であって、大帯Ｂｗが破封された順番に連続する一連の情報である。つまり、大帯収納通番は、１つの回収袋につめられる大帯Ｂｗの一群に対して、回収袋に詰められる大帯Ｂｗの数だけ割り当てられる番号である。実施形態において、制御部１０１０は、操作部１０１１を介して大帯Ｂｗの回収が指示された場合、大帯通番開始値記憶領域１０１２Ｂに記録される情報を更新することで、回収される複数の大帯Ｂｗの一群に、対応する情報を割り当てる。制御部１０１０は、大帯通番開始値記憶領域１０１２Ｂに記録される情報をコピーして、収納通番対応テーブル１０１２Ａの大帯収納通番の開始値の欄に書き込む。また、制御部１０１０は、大束ＩＤを割り当てるときに、大帯収納通番を割り当てる。
【００３３】
小帯収納通番は、小束Ｓ（小帯Ｓｗ）に対応する通番の一例であって、開始値と付与値とを含む。小帯収納通番は、回収される小帯Ｓｗの一群ごとに制御部１０１０により割り当てられる値であって、小帯Ｓｗが破封された順番に連続する一連の情報である。つまり、小帯収納通番は、１つの回収袋につめられる小帯Ｓｗの一群に対して、回収袋に詰められる小帯Ｓｗの数だけ割り当てられる番号である。実施形態において、制御部１０１０は、操作部１０１１を介して小帯Ｓｗの回収が指示された場合、小帯通番開始値記憶領域１０１２Ｃに記録される情報を更新することで、回収される複数の小帯Ｓｗの一群に、対応する情報を割り当てる。制御部１０１０は、小帯通番開始値記憶領域１０１２Ｃに記録される情報をコピーして、収納通番対応テーブル１０１２Ａの小帯収納通番の開始値の欄に書き込む。小帯収納通番の付与値は、破封される小束Ｓごとに制御部１０１０により割り当てられる値である。実施形態において、制御部１０１０は、小束ＩＤを割り当てるときに、小帯収納通番を割り当てる。
バッチ情報は、バッチカードのバーコードに記録されている情報である。
計数結果は、鑑査機１０による計数結果を示す情報である。
【００３４】
ここで、制御部１０１０による収納通番対応テーブル１０１２Ａの作成方法の一例について説明する。制御部１０１０は、鑑査機１０による処理単位に含まれる複数の紙幣Ｐを識別するためのバッチ情報と、大帯収納通番又は小帯収納通番とを対応付けた対応情報を作成する作成部として機能する。
制御部１０１０は、大束処理部１０２により処理される大束Ｂ００１に対して大束ＩＤ：「００１」を割り当てた場合、収納通番対応テーブル１０１２Ａの大束ＩＤの欄に、割り当てた大束ＩＤ：「００１」を書き込む。
制御部１０１０は、大束処理部１０２により処理される大束Ｂに対して大束ＩＤを割り当てた場合、前回割り当てた大帯収納通番に連続する番号を次の大帯収納通番として割り当て、収納通番対応テーブル１０１２Ａの大帯収納通番の付与値の欄に書き込む。大束ＩＤ：「００１」を割り当てた場合いずれの大帯収納通番も未だ割り当てられていないため、制御部１０１０は、例えば新規の番号「００１」をとして割り当てる。制御部１０１０は、大帯収納通番を割り当てたときに、大帯通番開始値記憶領域１０１２Ｂがクリアであるか（何らの情報も記憶されていないか）否かを判定し、クリアである場合、割り当てた大帯収納通番「００１」を大帯通番開始値記憶領域１０１２Ｂに書き込む。
【００３５】
制御部１０１０は、小束処理部１０３により処理される小束Ｂに対して小束ＩＤ「００１０１」を割り当てた場合、収納通番対応テーブル１０１２Ａの小束ＩＤの欄に割り当てた小束ＩＤ：「００１０１」を書き込む。
制御部１０１０は、小束処理部１０３により処理される小束Ｓに対して小束ＩＤを割り当てた場合、前回割り当てた小帯収納通番に連続する番号を次の小帯収納通番として割り当て、収納通番対応テーブル１０１２Ａの小帯収納通番の付与値の欄に書き込む。小束ＩＤ：「０００１」を割り当てた場合いずれの小帯収納通番も未だ割り当てられていないため、制御部１０１０は、例えば新規の番号「０００１」を小帯収納通番として割り当てる。制御部１０１０は、小帯収納通番を割り当てたときに、小帯通番開始値記憶領域１０１２Ｃがクリアであるか（何らの情報も記憶されていないか）否かを判定し、クリアである場合、割り当てた小帯収納通番「０００１」を小帯通番開始値記憶領域１０１２Ｃに書き込む。
【００３６】
２つ目以降の大束ＩＤ：「００２」を割り当てた場合、制御部１０１０は、大帯収納通番として、前回の大帯収納通番：「００１」に連続する番号「００２」を割り当てる。制御部１０１０は、大束ＩＤ：「００２」に対応する大帯収納通番の付与値の欄に、割り当てた大帯収納通番：「００２」を書き込む。制御部１０１０が大帯収納通番「００２」を割り当てたとき、大帯通番開始値記憶領域１０１２Ｂには、大帯収納通番「００１」が記憶されている。よって、制御部１０１０は、大帯通番開始値記憶領域１０１２Ｂを更新することなく、大帯通番開始値記憶領域１０１２Ｂに記憶されている大帯収納通番「００１」をコピーして、大束ＩＤ：「００２」に対応する大帯収納通番の開始値の欄に書き込む。なお、操作部１０１１を介して大帯Ｂｗの回収が指示された場合、制御部１０１０は、大帯通番開始値記憶領域１０１２Ｂに記憶されている情報を削除する。
【００３７】
同様にして、２つ目以降の小束ＩＤ：「００１０２」が割り当てられた場合、制御部１０１０は、小帯収納通番として、前回の小帯収納通番：「０００１」に連続する番号「０００２」を割り当てる。制御部１０１０は、小束ＩＤ：「００１０２」に対応する小帯収納通番の付与値の欄に、割り当てた小帯収納通番：「０００２」を書き込む。制御部１０１０が小帯収納通番「０００２」を割り当てたとき、小帯通番開始値記憶領域１０１２Ｃには、小帯収納通番「０００１」が記憶されている。よって、制御部１０１０は、小帯通番開始値記憶領域１０１２Ｃを更新することなく、小帯通番開始値記憶領域１０１２Ｃに記憶されている小帯収納通番「０００１」をコピーして、小束ＩＤ：「００１０２」に対応する小帯収納通番の開始値の欄に書き込む。なお、操作部１０１１を介して小帯Ｓｗの回収が指示された場合、制御部１０１０は、小帯通番開始値記憶領域１０１２Ｃに記憶されている情報を削除する。
【００３８】
制御部１０１０は、大束ＩＤを割り当てたときに大束ＩＤに対応する情報をデータ収集装置２０に送信するものであってもよく、小束ＩＤを割り当てたとき小束ＩＤに対応する情報をデータ収集装置２０に送信するものであってもよい。また、制御部１０１０は、バッチ情報がバッチ情報読取部１５３から入力したときに対応する情報をデータ収集装置２０に送信してもよい。
【００３９】
次に、図１０を参照して、紙葉類処理システム１による処理例について説明する。図１０は、紙葉類処理システム１による処理例を示すフローチャートである。
操作部１０１１から処理開始が指示されると、鑑査機１０は、投入される大束Ｂごとに紙葉類処理を実行し、鑑査結果を示す情報を取得する（ステップＳＴ１）。なお、この紙葉類処理については、図１２，１３を参照して詳細に説明する。
鑑査機１０は、記憶部１０１２の収納通番対応テーブル１０１２Ａから、鑑査結果を示す情報、バッチ情報、大束ＩＤ、小束ＩＤ、大帯収納通番、小帯収納通番等を対応付けた情報を読み出し、データ収集装置２０に送信する（ステップＳＴ２）。
データ収集装置２０は、鑑査機１０から受信した対応情報を、記憶部２３に格納する（ステップＳＴ３）。データ収集装置２０は、収納通番対応テーブル１０１２Ａと同様のテーブルである収納通番対応テーブル２３Ａ（図示せず）に、鑑査機１０から受信した情報を書き込む。なお、収納通番対応テーブル２３Ａには、さらに、排除券の枚数を格納する欄が設けられている点が、収納通番対応テーブル１０１２Ａと異なる。
【００４０】
そして、複数の大束Ｂについての紙葉類処理が終了した後、鑑査作業者により、鑑査機１０の操作部１０１１から、大帯Ｂｗ又は小帯Ｓｗの回収が指示される。大帯Ｂｗ又は小帯Ｓｗの回収が操作部１０１１を介して指示された場合、鑑査機１０は、回収される大帯Ｂｗ、小帯Ｓｗに対応する回収情報を作成し、作成した回収情報を帳票プリンタ３０に送信する（ステップＳＴ４）。また、鑑査機１０は、操作部１０１１を介して回収が指示された場合、大帯収納カセット１２４又は小帯収納カセット１３４の取り出し操作を可能にする。
鑑査作業者は、大帯収納カセット１２４又は小帯収納カセット１３４から、収納されている全ての大帯Ｂｗ又は小帯Ｓｗ（つまり、結束材群）を回収し、回収袋につめて、一纏めにする（ステップＳＴ５）。
【００４１】
帳票プリンタ３０は、鑑査機１０から受信した回収情報に基づき、回収票を発行する（ステップＳＴ６）。
鑑査作業者は、帳票プリンタ３０により発行された回収票を、ステップＳＴ５で大帯Ｂｗ又は小帯Ｓｗをつめた回収袋に貼り付け、保管所に持って行き、保管する（ステップＳＴ７）。
その後、排除券登録装置４０は、鑑査機１０の排除券カセット１５４から回収された排除券について、排除券処理を実行する（ステップＳＴ８）。なお、この排除券処理については、図１４を参照して詳細に説明する。
【００４２】
ここで、図１１を参照して、ステップＳＴ５において作成される回収袋の一例について説明する。図１１（Ａ）〜１１（Ｄ）は、回収袋Ｃ１〜Ｃ４を示す図である。
回収袋Ｃ１には、大束ＩＤ「００１」，「００２」，「００３」が印刷された大帯Ｂｗが収容されている。回収袋Ｃ１には、図示の通り、大帯収納通番「００１〜００３」が印刷された回収票が貼り付けられている。なお、回収票には、鑑査機１０の鑑査機識別情報「＃１」や、発行日時等が印刷されてもよい。
回収袋Ｃ２には、大束ＩＤ「００４」，「００５」が印刷された大帯Ｂｗが収容されている。回収袋Ｃ２には、図示の通り、大帯収納通番「００４〜００５」が印刷された回収票が貼り付けられている。
回収袋Ｃ３には、小束ＩＤ「００１０１」〜「００１１０」，「００２０１」〜「００２１０」が印刷された小帯Ｓｗが収容されている。回収袋Ｃ３には、図示の通り、小帯収納通番「０００１〜００２０」が印刷された回収票が貼り付けられている。
回収袋Ｃ４には、小束ＩＤ「００３０１」〜「００３１０」，「００４０１」〜「００４１０」，「００５０１」〜「００５１０」が印刷された小帯Ｓｗが収容されている。回収袋Ｃ４には、図示の通り、小帯収納通番「００２１〜００５０」が印刷された回収票が貼り付けられている。
【００４３】
次に、回収袋Ｃ１を作成する際の具体的な処理例について説明する。
例えば、大束ＩＤ：「００１」〜「００３」が割り当てられた大束Ｂ００１〜大束Ｂ００３の紙葉類処理が終了した後に、大帯Ｂｗの回収が指示されたとする。鑑査機１０は、収納通番対応テーブル１０１２Ａにおいて、大帯収納通番の開始値の欄の最新の値「００１」と大帯収納通番の付与値の欄の最新の値「００３」とを取得し、回収情報とする。
大帯収納カセット１２４には、大束ＩＤ：「００１」，「００２」，「００３」が印刷された大帯Ｂｗが収納されている。よって、鑑査作業者は、大帯収納カセット１２４から、大束ＩＤ：「００１」，「００２」，「００３」が印刷された大帯Ｂｗを回収し、回収袋Ｃ１につめて、一纏めにする。帳票プリンタ３０は、鑑査機１０から受信した回収情報に基づき、大帯収納通番「００１〜００３」が印刷された回収票を発行する。これにより、大束ＩＤ：「００１」，「００２」，「００３」が印刷された大帯Ｂｗが収納されている回収袋Ｃ１に、大帯収納通番「００１〜００３」が印刷された回収票が貼り付けられる。
【００４４】
また、大束ＩＤ：「００１」〜「００３」が割り当てられた大束Ｂ００１〜大束Ｂ００３の紙葉類処理が終了した後に、大帯Ｂｗの回収が指示された場合、制御部１０１０は、大帯通番の開始値を記録する大帯通番開始値記憶領域１０１２Ｂ内の情報を削除する。よって、大束ＩＤ：「００４」が割り当てられる大束Ｂ００４の紙葉類処理が開始された場合、制御部１０１０は、大束Ｂ００４に割り当てる大帯収納通番の付与値「００４」を、大帯通番開始値記憶領域１０１２Ｂ内に書き込む。
なお、鑑査機１０は、収納通番対応テーブル１０１２Ａにおいて、取得した大帯収納通番の付与値の欄の「００１」〜「００３」と対応付けられた大束ＩＤ：「００１」，「００２」，「００３」と、小束ＩＤ：「００１０１」〜「００１１０」，「００２０１」〜「００２１０」，「００３０１」〜「００３１０」とを、回収情報に含めてもよい。この場合、帳票プリンタ３０は、これらの情報を回収票に印刷してもよい。
【００４５】
次に、回収袋Ｃ３を作成する際の具体的な処理例について説明する。
例えば、小束ＩＤ：「００１０１」〜「００１１０」，「００２０１」〜「００２１０」が割り当てられた小束Ｓ００１０１〜Ｓ００１１０，Ｓ００２０１〜Ｓ００２１０の紙葉類処理が終了した後に、小帯Ｓｗの回収が指示されたとする。鑑査機１０は、収納通番対応テーブル１０１２Ａにおいて、小帯収納通番の開始値の欄の最新の値「０００１」と小帯収納通番の付与値の欄の最新の値「００２０」とを取得し、回収情報とする。
小帯収納カセット１３４には、小束ＩＤ：「００１０１」〜「００１１０」，「００２０１」〜「００２１０」が印刷された小帯Ｓｗが収納されている。よって、鑑査作業者は、小帯収納カセット１３４から、小束ＩＤ：「００１０１」〜「００１１０」，「００２０１」〜「００２１０」が印刷された小帯Ｓｗを回収し、回収袋Ｃ３につめて、一纏めにする。帳票プリンタ３０は、鑑査機１０から受信した回収情報に基づき、小帯収納通番「０００１〜００２０」が印刷された回収票を発行する。これにより、小束ＩＤ：「００１０１」〜「００１１０」，「００２０１」〜「００２１０」が印刷された小帯Ｓｗが収納されている回収袋Ｃ３に、小帯収納通番「０００１〜００２０」が印刷された回収票が貼り付けられる。
【００４６】
小束ＩＤ：「００１０１」〜「００１１０」，「００２０１」〜「００２１０」が割り当てられた小束Ｓ００１０１〜Ｓ００１１０，Ｓ００２０１〜Ｓ００２１０の紙葉類処理が終了した後に、小帯Ｓｗの回収が指示された場合、制御部１０１０は、小帯通番の開始値を記録する小帯通番開始値記憶領域１０１２Ｃ内の情報を削除する。よって、小束ＩＤ：「００３０１」が割り当てられる小束Ｓ００３０１の紙葉類処理が開始された場合、制御部１０１０は、小束Ｓ００３０１に割り当てる小帯収納通番の付与値「００２１」を、小帯通番開始値記憶領域１０１２Ｃ内に書き込む。
なお、鑑査機１０は、収納通番対応テーブル１０１２Ａにおいて、取得した小帯収納通番の付与値の欄の「０００１」〜「００２０」と対応付けられた大束ＩＤ：「００１」，「００２」と、小束ＩＤ：「００１０１」〜「００１１０」，「００２０１」〜「００２１０」とを、回収情報に含めてもよい。この場合、帳票プリンタ３０は、これらの情報を回収票に印刷してもよい。
【００４７】
次に、図１２，１３を参照して、鑑査機１０による紙葉類処理の一例について説明する。鑑査機１０は、図１２，１３示す処理を大束Ｂごとに実行する。
はじめに、図１２を参照して、鑑査機１０による破封処理の一例について説明する。図１２は、鑑査機１０による破封処理の一例を示すフローチャートである。
操作部１０１１を介して鑑査作業者から紙葉類処理の開始が指示された場合、制御部１０１０は、投入部１０１を制御して、１つの大束Ｂを取り出し、大束処理部１０２に送り出す（ステップＳＴ１０１）。
制御部１０１０は、処理対象である大束Ｂに対して、大束ＩＤ：「００１」と、大帯収納通番：「００１」とを割り当てる（ステップＳＴ１０２）。制御部１０１０は、割り当てた大束ＩＤ：「００１」を、収納通番対応テーブル１０１２Ａの大束ＩＤの欄に書き込む。また、制御部１０１０は、割り当てた大帯収納通番：「００１」を、収納通番対応テーブル１０１２Ａにおいて大束ＩＤ：「００１」と対応する大帯収納通番の付与値欄に書き込む。ここで、大帯通番開始値記憶領域１０１２Ｂがクリアであるため、制御部１０１０は、割り当てた大帯収納通番「００１」を大帯通番開始値記憶領域１０１２Ｂに書き込む。
【００４８】
制御部１０１０は、大帯印刷部１２２を制御して、大束ＩＤ：「００１」が割り当てられた大束Ｂ（以下、大束Ｂ００１という）の大帯Ｂｗに、大束ＩＤ：「００１」を印刷させる（ステップＳＴ１０３）。
制御部１０１０は、大帯破封部１２３を制御して、大束Ｂ００１から大帯Ｂｗを破封させる（ステップＳＴ１０４）。
大帯破封部１２３は、大束Ｂ００１から大帯Ｂｗを取り外し、大帯収納カセット１２４に排出する（ステップＳＴ１０５）。
【００４９】
制御部１０１０は、小束搬送部１３１を制御して、大帯Ｂｗが取り外され１０把の小束Ｓが積層している大束Ｂ００１から小束Ｓを１束ずつ取り出し、搬送させる（ステップＳＴ１０６）。
制御部１０１０は、最初の処理対象である小束Ｓに対して、小束ＩＤ：「００１０１」と、小帯収納通番：「０００１」とを割り当てる（ステップＳＴ１０７）。制御部１０１０は、収納通番対応テーブル１０１２Ａにおいて大束ＢＩＤ：「００１」に対応する小束ＩＤの欄に、割り当てた小束ＩＤ：「００１０１」を書き込む。また、制御部１０１０は、割り当てた小帯収納通番：「０００１」を、収納通番対応テーブル１０１２Ａにおいて小束ＩＤ：「００１０１」と対応する小帯収納通番の付与値欄に書き込む。ここで、小帯通番開始値記憶領域１０１２Ｃがクリアであるため、制御部１０１０は、割り当てた小帯収納通番「０００１」を小帯通番開始値記憶領域１０１２Ｃに書き込む。
【００５０】
制御部１０１０は、小帯印刷部１３２を制御して、小束ＩＤ：「００１０１」が割り当てられた小束Ｂ（以下、小束Ｓ００１０１という）の小帯Ｓｗに、小束ＩＤ：「００１０１」を印刷させる（ステップＳＴ１０８）。
制御部１０１０は、小帯破封部１３３を制御して、小束Ｓ００１０１から小帯Ｓｗを破封させる（ステップＳＴ１０９）。
小帯破封部１３３は、小束Ｂ００１０１から小帯Ｓｗを取り外し、小帯収納カセット１３４に排出する（ステップＳＴ１１０）。
制御部１０１０は、大束Ｂ００１に含まれる１０把の小束Ｓを破封したか否かを判定する（ステップＳＴ１１１）。例えば、制御部１０１０は、大束ＩＤ：「００１」に対して、１０個の小束ＩＤを割り当てたか否かを判定し、１０個の小束ＩＤを割り当てたと判定した場合、大束Ｂ００１に含まれる１０把の小束Ｓを破封したと判定する。
制御部１０１０は、大束Ｂ００１に含まれる１０把の小束Ｓを破封するまで、ステップＳＴ１０７に戻って処理を繰り返す。大束Ｂ００１に含まれる１０把の小束Ｓを破封したと判定した場合、制御部１０１０は、大束Ｂ００１についての破封処理を終了する。
【００５１】
次に、図１３を参照して、鑑査機１０による鑑査計数処理の一例について説明する。図１３は、鑑査機１０による鑑査計数処理の一例を示すフローチャートである。なお、図１３に示す処理は、図１２に示す処理と平行して実行される。
制御部１０１０は、紙幣搬送部１４１と紙幣供給部１４２とを制御して、小帯Ｓｗが破封された小束Ｓから紙幣Ｐを一枚ずつ取り出し、鑑別計数部１４３へ搬送させる（ステップＳＴ２０１）。
鑑別計数部１４３は、紙幣搬送部１４１により搬送されている紙幣Ｐの真偽検出および正損検出を行う（ステップＳＴ２０２）。なお、鑑別計数部１４３は、この時点から、紙幣Ｐの真偽検出および正損検出の検出結果に基づき、排除券以外の紙幣Ｐの枚数の計数を開始する。
【００５２】
鑑別計数部１４３は、ステップＳＴ２０２の検出結果に応じた搬送先を決定し、紙幣搬送部１４１を制御して、排除券処理部１０５、裁断部１０６、又は正券処理部１０７に向けて紙幣Ｐを送り出す（ステップＳＴ２０３）。つまり、鑑別計数部１４３は、真偽検出に基づく鑑別結果が偽券である紙幣Ｐや、搬送状態が基準姿勢からずれている紙幣Ｐ等を、排除券として、排除券処理部１０５に送り出す。鑑別計数部１４３は、正損検出に基づく鑑別結果が損券である紙幣Ｐを、裁断部１０６に送り出す。鑑別計数部１４３は、排除券及び損券以外の紙幣Ｐを、正券として、正券処理部１０７に送り出す。
鑑別計数部１４３は、紙幣供給部１４２により１０把の小束Ｓから取り出される全ての紙幣Ｐについての処理を実行したか否かを判定し（ステップＳＴ２０４）、全ての紙幣Ｐについての処理が終了するまで、ステップＳＴ２０１〜２０３を繰り返す（ステップＳＴ２０４：ＮＯ）。
【００５３】
全ての紙幣Ｐについての処理が終了した場合（ステップＳＴ２０４：ＹＥＳ）、鑑別計数部１４３は、排除券以外の紙幣Ｐの枚数の計数を終了し、合計値を計数結果として制御部１０１０に出力する（ステップＳＴ２０５）。
制御部１０１０は、ステップＳＴ１０２において割り当てた大束ＩＤ：「００１」に、鑑別計数部１４３から入力した計数結果を対応付けて、通番情報テーブルに書き込む（ステップＳＴ２０６）。
【００５４】
次いで、制御部１０１０は、バッチ情報読取部１５３を制御して、バッチカードのバッチ情報を読み取らせる（ステップＳＴ２０７）。バッチ情報読取部１５３は、読み取ったバッチ情報を制御部１０１０に出力する。
制御部１０１０は、ステップＳＴ１０２において割り当てた大束ＩＤ：「００１」に、バッチ情報読取部１５３が読み取ったバッチ情報を対応付けて、通番情報テーブルに書き込む（ステップＳＴ２０８）。
制御部１０１０は、バッチカード供給部１５２を制御して、収容しているバッチカードを排除券カセット１５４に排出させる（ステップＳＴ２０９）。
制御部１０１０は、正券処理部１０７を制御して、施封処理を実行させる（ステップＳＴ２１０）。正券処理部１０７は、正券と判定された紙幣Ｐを１００枚ずつ小帯Ｓｗで施封して小束Ｓとし、小束Ｓを１０把ずつ大帯Ｂｗで施封して大束Ｂとし、排出部１０８に送り出す。
制御部１０１０は、排出部１０８を制御して、正券処理部１０７から送り出された大束Ｂの大帯Ｂｗに銀行名や店名印を押印した後、大束排出口１８２から排出させる（ステップＳＴ２１１）。
【００５５】
次に、図１４を参照して、排除券登録装置４０による排除券処理の一例について説明する。図１４は、排除券登録装置４０による排除券処理の一例を示すフローチャートである。
【００５６】
読取部４２は、バッチカードに記載されたバーコードからバッチ情報を読み取り、登録部４４に出力する（ステップＳＴ３０１）。例えば、登録作業者が、バッチカードに記載された二次元バーコードを読取部４２にかざしてバッチ情報を読み取らせる。ここで、読取部４２は、二次元コードからバッチ情報：「１００４」を読み取ったとする。
入力部４３は、排除券の枚数を示す情報の入力を受け付け、登録部４４に出力する（ステップＳＴ３０２）。例えば、登録作業者が、バッチカードで仕分けされた排除券の枚数を数え、排除券の枚数（例えば、３枚）を入力部４３から入力する。
登録部４４は、バッチ情報：「１００４」と排除券（３枚）の枚数とを対応付けた情報を、通信部４１を介してデータ収集装置２０に送信し、記憶部２３に登録させる（ステップＳＴ３０３）。データ収集装置２０は、排除券登録装置４０から受信した情報を対応付けて、記憶部２３に書き込む。実施形態において、データ収集装置２０は、記憶部２３の収納通番対応テーブル２３Ａにおいて、排除券登録装置４０から受信したバッチ情報に対応する排除券枚数の欄に、排除券の枚数を書き込む。
【００５７】
検索部４５は、入力部４３から入力した排除券の枚数が０枚より大きいか否かを判定する（ステップＳＴ３０４）。
入力部４３から入力した排除券の枚数が０枚より大きいと判定した場合（ステップＳＴ３０４：ＹＥＳ）、検索部４５は、データ収集装置２０の収納通番対応テーブル２３Ａを参照して、バッチ情報に対応する計数結果を検索する（ステップＳＴ３０５）。
検索部４５は、ステップＳＴ３０５の検索により、バッチ情報に対応する計数結果を得た場合、排除券の枚数と計数結果との合計値が１０００であるか否かを判定する（ステップＳＴ３０６）。
【００５８】
排除券の枚数と計数結果との合計値が１０００でないと判定した場合（ステップＳＴ３０６：ＮＯ）、検索部４５は、データ収集装置２０の収納通番対応テーブル２３Ａを参照して、バッチ情報に対応する通番情報と大束ＩＤと小束ＩＤとを検索する（ステップＳＴ３０７）。実施形態において、収納通番対応テーブル２３Ａには、バッチ情報：「１００４」に対応付けられた係数結果が９９６枚であることを示す情報が記憶されている。この場合、排除券の枚数（３枚）を合算しても、１０００枚に到達しない。よって、検索部４５は、収納通番対応テーブル２３Ａにおいて、バッチ情報：「１００４」と対応付けられている通番情報として、大帯収納通番情報：「００４」と小帯収納通番情報：「００３１〜００４０」とを検索により得る。また、検索部４５は、収納通番対応テーブル２３Ａにおいて、バッチ情報：「１００４」と対応付けられている大束ＩＤ：「００４」と小束ＩＤ：「００４０１〜００４１０」とを検索により得る。
【００５９】
検索部４５は、ステップＳＴ３０７の検索により、バッチ情報に対応する通番情報と大束ＩＤと小束ＩＤとを得た場合、検索結果に基づく情報を作成し、出力部４６から出力させる（ステップＳＴ３０８）。実施形態において、出力部４６は、図１５に示すような表示画面を出力部４６から出力させる。図１５は、検索部４５による検索結果の出力例を示す図である。
図１５に示す通り、出力部４６の表示画面には、大束Ｂに過不足があったことを示すメッセージが表示されている。この表示画面には、過不足があった大束Ｂの大束ＩＤ：「００４」と、この大束Ｂに含まれる小束Ｓの小束ＩＤ：「００４０１〜００４１０」が表示されている。この表示画面には、計数結果（９９６枚）と、排除券の枚数（３枚）と、これらの合計数（９９９枚）とを示す情報も表示されている。また、この表示画面には、回収票に印刷された通番に基づき大帯Ｂｗ及び小帯Ｓｗを探すことを示すメッセージが表示されている。この表示画面には、過不足があった大束Ｂの大帯Ｂｗに対応する回収票に記載された大帯通番（ここでは、大帯収納通番情報：「００４〜００５」）と、過不足があった大束Ｂに含まれる小束Ｓの小帯Ｓｗに対応する回収票に記載された小帯通番（ここでは、小帯収納通番情報：「００２１〜００５０」）とを示す情報が表示されている。なお、大帯Ｂｗに対応する回収票とは、大帯Ｂｗがつめられた回収袋に貼り付けられた回収票であり、小帯Ｓｗに対応する回収票とは、小帯Ｓｗがつめられた回収袋に貼り付けられた回収票である。
【００６０】
検索部４５は、収納通番対応テーブル１０１２Ａを参照して、過不足があった大束Ｂの大束ＩＤ「００４」と対応付けられた大帯収納通番「００４」を取得する。検索部４５は、収納通番対応テーブル１０１２Ａの大帯収納通番の付与値「００４」と対応付けられている開始値「００４」を取得し、開始値「００４」と対応付けられている大帯収納通番の付与値「００４〜００５」を取得する。検索部４５は、取得した情報に基づき、過不足があった大束Ｂの大帯Ｂｗに対応する回収票に記載された大帯通番（大帯収納通番情報：「００４〜００５」）を出力部４６から表示させる。
検索部４５は、収納通番対応テーブル１０１２Ａを参照して、過不足があった大束Ｂの大束ＩＤ「００４」と対応付けられた小帯収納通番「００３１〜００４０」を取得する。検索部４５は、収納通番対応テーブル１０１２Ａの小帯収納通番の付与値「００３１〜００４０」と対応付けられている開始値「００２１」を取得し、開始値「００２１」と対応付けられている小帯収納通番の付与値「００２１〜００５０」を取得する。検索部４５は、取得した情報に基づき、過不足があった大束Ｂに含まれる小束Ｓの小帯Ｓｗに対応する回収票に記載された小帯通番（小帯収納通番情報：「００２１〜００５０」）を出力部４６から表示させる。
【００６１】
なお、出力部４６の表示画面には、回収票に印刷された通番に基づき大帯Ｂｗ及び小帯Ｓｗを探すことを示すメッセージとして、過不足があった大束Ｂの大帯Ｂｗと対応付けられた大帯通番（ここでは、大帯収納通番情報：「００４」）と、過不足があった大束Ｂに含まれる小束Ｓの小帯Ｓｗと対応付けられた小帯通番（ここでは、小帯収納通番情報：「００３１〜００４０」）とを示す情報が表示されてもよい。
検索部４５は、収納通番対応テーブル１０１２Ａを参照して、過不足があった大束Ｂの大束ＩＤ「００４」と対応付けられた大帯収納通番「００４」と小帯収納通番情報：「００３１〜００４０」とを取得し、出力部４６から表示させる。
【００６２】
（第２の実施形態）
次に、第２の実施形態の紙葉類処理方法の一例について説明する。本実施形態の紙葉類処理システムの構成は、第１の実施形態で説明した紙葉類処理システムの構成が適用可能であるため、詳細な説明は省略する。
本形態の紙葉類処理システムでは、大帯通番及び小帯通番として、回収作業ごとに更新される一連情報を用いる点で、第１の実施形態と異なる。ここでは、大帯収納通番と小帯収納通番に換えて、大帯収納カセット回収通番と小帯収納カセット回収通番とを用いる例について説明する。
図１６は、本実施形態の紙葉類処理システムにおいて作成される回収通番対応テーブル１０１２Ｄの一例を示す図である。記憶部１０１２は、図１６に示す回収通番対応テーブル１０１２Ｄに対応情報を記憶する。また、記憶部１０１２は、大帯回収通番記憶領域１０１２Ｅ（図１７参照）と、小帯回収通番記憶領域１０１２Ｆ（図１８参照）とを備える。
【００６３】
図１６に示す通り、回収通番対応テーブル１０１２Ｄは、大束ＩＤと、小束ＩＤと、大帯収納カセット回収通番と、小帯収納カセット回収通番と、バッチ情報と、計数結果とを対応付けるテーブルである。
大帯収納カセット回収通番は、回収される大帯Ｂｗの一群ごとに制御部１０１０により割り当てられる値であって、回収の順番に連続する一連の情報である。つまり、大帯収納カセット回収通番は、１つの回収袋につめられる大帯Ｂｗの一群に対して１つ番号である。実施形態において、制御部１０１０は、操作部１０１１を介して大帯Ｂｗの回収が指示された場合、大帯回収通番記憶領域１０１２Ｅに記録される情報を更新することで、回収される複数の大帯Ｂｗの一群に、対応する情報を割り当てる。制御部１０１０は、例えば大束ＩＤを回収通番対応テーブル１０１２Ｄに書き込むときに、大帯回収通番記憶領域１０１２Ｅに記憶されている次回値をコピーした値を大束ＩＤに対応付けて回収通番対応テーブル１０１２Ｄの大帯収納カセット回収通番の欄に書き込む。
【００６４】
小帯収納カセット回収通番は、回収される小帯Ｓｗの一群ごとに制御部１０１０により割り当てられる値であって、回収の順番に連続する一連の情報である。つまり、小帯収納カセット回収通番は、１つの回収袋につめられる小帯Ｓｗの一群に対して１つ番号である。実施形態において、制御部１０１０は、操作部１０１１を介して小帯Ｓｗの回収が指示された場合、小帯回収通番記憶領域１０１２Ｆに記録される情報を更新することで、回収される複数の小帯Ｓｗの一群に、対応する情報を割り当てる。制御部１０１０は、例えば小束ＩＤを回収通番対応テーブル１０１２Ｄに書き込むときに、小帯回収通番記憶領域１０１２Ｆに記憶されている次回値をコピーした値を小束ＩＤに対応付けて回収通番対応テーブル１０１２Ｄの小帯収納カセット回収通番の欄に書き込む。
【００６５】
次に、図１７を参照して、大帯回収通番記憶領域１０１２Ｅの一例について説明する。図１７は、大帯回収通番記憶領域１０１２Ｅの一例を示す図である。
図示の通り、大帯回収通番記憶領域１０１２Ｅには、現在値と次回値とが記憶される。現在値は、現在の大帯Ｂｗの回収回数を示す情報であって、制御部１０１０により初期値「００）が与えられる。次回値は、現在値に１を加算した値であって、制御部１０１０により初期値「０１」が与えられる。図１７（Ａ）に示す大帯回収通番記憶領域１０１２Ｅは、大帯Ｂｗが未だ回収されていないこと、つまり回収回数が０であることを示す。制御部１０１０は、操作部１０１１を介して大帯Ｂｗの回収が指示された場合、大帯回収通番記憶領域１０１２Ｅの現在値を、次回値をコピーした値に書き換え、大帯回収通番記憶領域１０１２Ｅの次回値を、次回値に１を加算した値に書き換える。書きかえられた後の大帯回収通番記憶領域１０１２Ｅを図１７（Ｂ）に示す。制御部１０１０は、大帯回収通番記憶領域１０１２Ｅの情報を更新した場合、更新した後の次回値を大帯最新次回値情報として排除券登録装置４０に送信する。排除券登録装置４０は、受信した大帯最新次回値情報を所定の記憶部に上書き保存する。
【００６６】
また、小帯回収通番記憶領域１０１２Ｆにも、現在値と次回値とが記憶される。現在値は、現在の小帯Ｓｗの回収回数を示す情報であって、制御部１０１０により初期値「００」が与えられる。次回値は、現在値に１を加算した値であって、制御部１０１０により初期値「０１」が与えられる。図１８（Ａ）に示す小帯回収通番記憶領域１０１２Ｆは、小帯Ｓｗが未だ回収されていないこと、つまり回収回数が０であることを示す。制御部１０１０は、操作部１０１１を介して小帯Ｓｗの回収が指示された場合、小帯回収通番記憶領域１０１２Ｆの現在値を、次回値をコピーした値に書き換え、小帯回収通番記憶領域１０１２Ｆの次回値を、次回値に１を加算した値に書き換える。書きかえられた後の小帯回収通番記憶領域１０１２Ｆを図１８（Ｂ）に示す。制御部１０１０は、小帯回収通番記憶領域１０１２Ｆの情報を更新した場合、更新した後の次回値を小帯最新次回値情報として排除券登録装置４０に送信する。排除券登録装置４０は、受信した小帯最新次回値情報を所定の記憶部に上書き保存する。
【００６７】
例えば、大束ＩＤ：「００１」〜「００３」が割り当てられた大束Ｂ００１〜大束Ｂ００３の紙葉類処理が終了した後に、大帯Ｂｗの回収が指示されたとする。鑑査機１０は、大帯回収通番記憶領域１０１２Ｅから、次回値「０１」を取得し、回収情報とする。
大帯収納カセット１２４には、大束ＩＤ：「００１」，「００２」，「００３」が印刷された大帯Ｂｗが収納されている。よって、鑑査作業者は、大帯収納カセット１２４から、大束ＩＤ：「００１」，「００２」，「００３」が印刷された大帯Ｂｗを回収し、回収袋Ｃ１につめて、一纏めにする。帳票プリンタ３０は、鑑査機１０から受信した回収情報に基づき、大帯収納カセット回収通番「０１」が印刷された回収票を発行する。これにより、大束ＩＤ：「００１」，「００２」，「００３」が印刷された大帯Ｂｗが収納されている回収袋Ｃ１に、大帯収納カセット回収通番「０１」が印刷された回収票が貼り付けられる。
【００６８】
例えば、小束ＩＤ：「００１０１」〜「００１１０」，「００２０１」〜「００２１０」が割り当てられた小束Ｓ００１０１〜Ｓ００１１０，Ｓ００２０１〜Ｓ００２１０の紙葉類処理が終了した後に、小帯Ｓｗの回収が指示されたとする。鑑査機１０は、小帯回収通番記憶領域１０１２Ｆから、次回値「０１」を取得し、回収情報とする。
小帯収納カセット１３４には、小束ＩＤ：「００１０１」〜「００１１０」，「００２０１」〜「００２１０」が印刷された小帯Ｓｗが収納されている。よって、鑑査作業者は、小帯収納カセット１３４から、小束ＩＤ：「００１０１」〜「００１１０」，「００２０１」〜「００２１０」が印刷された小帯Ｓｗを回収し、回収袋Ｃ３につめて、一纏めにする。帳票プリンタ３０は、鑑査機１０から受信した回収情報に基づき、小帯収納カセット回収通番「０１」が印刷された回収票を発行する。これにより、小束ＩＤ：「００１０１」〜「００１１０」，「００２０１」〜「００２１０」が印刷された小帯Ｓｗが収納されている回収袋Ｃ３に、小帯収納カセット回収通番「０１」が印刷された回収票が貼り付けられる。
【００６９】
データ収集装置２０は、回収通番対応テーブル１０１２Ｄと同様のテーブルである回収通番対応テーブル２３Ｄ（図示せず）に、鑑査機１０から受信した情報を書き込む。なお、回収通番対応テーブル２３Ｄには、さらに、排除券の枚数を格納する欄が設けられている点が、回収通番対応テーブル１０１２Ｄと異なる。
【００７０】
排除券登録装置４０の検索部４５は、入力部４３から入力した排除券の枚数が０枚より大きいと判定した場合、データ収集装置２０の回収通番対応テーブル２３Ｄを参照して、バッチ情報に対応する計数結果を検索する。バッチ情報に対応する計数結果を得た場合、検索部４５は、排除券の枚数と計数結果との合計値が１０００であるか否かを判定する。排除券の枚数と計数結果との合計値が１０００でないと判定した場合、検索部４５は、データ収集装置２０の回収通番対応テーブル２３Ｄを参照して、バッチ情報に対応する通番情報と大束ＩＤと小束ＩＤとを検索する。実施形態において、回収通番対応テーブル２３Ｄには、バッチ情報：「１００４」に対応付けられた係数結果が９９６枚であることを示す情報が記憶されている。この場合、排除券の枚数（３枚）を合算しても、１０００枚に到達しない。よって、検索部４５は、回収通番対応テーブル２３Ｄにおいて、バッチ情報：「１００４」と対応付けられている通番情報として、大帯収納カセット回収通番：「０２」と小帯収納カセット回収通番：「０２」とを検索により得る。また、検索部４５は、回収通番対応テーブル２３Ｄにおいて、バッチ情報：「１００４」と対応付けられている大束ＩＤ：「００４」と小束ＩＤ：「００４０１」〜「００４１０」とを検索により得る。
【００７１】
排除券登録装置４０の検索部４５は、事前に鑑査機１０から受信した大帯最新次回値情報を読み出し、検索により得た大帯収納カセット回収通番：「０２」と比較する。大帯最新次回値情報と検索により得た大帯収納カセット回収通番：「０２」とが一致する場合、検索部４５は、大束ＩＤ：「００４」が印刷された大帯Ｂｗは、まだ大帯収納カセット１２４に収納されていること（つまり、未回収）であることを、出力部４６から出力させる。大帯最新次回値情報の方が検索により得た大帯収納カセット回収通番：「０２」よりも大きい場合、検索部４５は、過不足があった大束Ｂの大帯Ｂｗと対応付けられた大帯通番（ここでは、大帯収納カセット回収通番：「０２」）を示す情報を、出力部４６から出力させる。
【００７２】
排除券登録装置４０の検索部４５は、事前に鑑査機１０から受信した小帯最新次回値情報を読み出し、検索により得た小帯収納カセット回収通番：「０２」と比較する。小帯最新次回値情報と検索により得た小帯収納カセット回収通番：「０２」とが一致する場合、検索部４５は、小束ＩＤ：「００４０１」〜「００４１０」が印刷された小帯Ｓｗは、まだ小帯収納カセット１３４に収納されていること（つまり、未回収）であることを、出力部４６から出力させる。小帯最新次回値情報の方が検索により得た小帯収納カセット回収通番：「０２」よりも大きい場合、検索部４５は、過不足があった小束Ｓの小帯Ｓｗと対応付けられた小帯通番（ここでは、小帯収納カセット回収通番：「０２」）を示す情報を、出力部４６から出力させる。
【００７３】
（第３の実施形態）
次に、図１９，２０を参照して、第３の実施形態の紙葉類処理方法の一例について説明する。
図１９は、本実施形態の鑑査機１０Ａの構成例を示すブロック図である。本実施形態の鑑査機１０Ａの構成は、第１の実施形態で説明した鑑査機１０に、大帯撮影部１２５と、小帯撮影部１３５とをさらに加えた構成である。大帯撮影部１２５は、破封前の大帯Ｂｗを撮影して、撮影したカラー画像のデータを制御部１０１０に出力する。小帯撮影部１３５は、破封前の小帯Ｓｗを撮影して、撮影したカラー画像のデータを制御部１０１０に出力する。
【００７４】
図２０は、本実施形態の鑑査機１０Ａの記憶部１０１２に含まれる収納通番対応テーブル１０１２Ｇの一例である。収納通番対応テーブル１０１２Ｇは、収納通番対応テーブル１０１２Ａに加えて、大帯画像データの欄と、小帯画像データの欄と、を備える。
制御部１０１０は、例えば、大束ＩＤ：「００１」が印刷された大帯Ｂｗを撮影した画像データ：「画像００１」を大束ＩＤ：「００１」と対応付けて、収納通番対応テーブル１０１２Ｇに書き込む。
制御部１０１０は、例えば、小束ＩＤ：「００１０１」が印刷された小帯Ｓｗを撮影した画像データ：「画像０００１」を小束ＩＤ：「００１０１」と対応付けて、収納通番対応テーブル１０１２Ｇに書き込む。
【００７５】
データ収集装置２０は、収納通番対応テーブル１０１２Ｇと同様のテーブルである収納通番対応テーブル２３Ｇ（図示せず）に、鑑査機１０から受信した情報を書き込む。なお、収納通番対応テーブル２３Ｇには、さらに、排除券の枚数を格納する欄が設けられている点が、収納通番対応テーブル１０１２Ｇと異なる。
【００７６】
排除券登録装置４０の検索部４５は、過不足があった大束Ｂの大帯Ｂｗと対応付けられた大帯通番（例えば、大帯収納通番：「００１」）を示す情報を出力部４６に出力する。このとき、検索部４５は、データ収集装置２０の収納通番対応テーブル２３Ｇにおいて、大帯収納通番：「００１」と対応付けられている大帯画像データと小帯画像データとをデータ収集装置２０から取得し、出力部４６に出力させる。
【００７７】
上記各実施形態において、大帯印刷部１２２と小帯印刷部１３２は、時間帯に応じて予め決められた色で印刷することにより、大帯Ｂｗ又は小帯Ｓｗに印刷される大束ＩＤ又は小束ＩＤの色を変えてもよい。この場合、鑑査機１０は、大束ＩＤ又は小束ＩＤが印刷された日時を示す情報を、大束ＩＤ又は小束ＩＤと対応付けて、収納通番対応テーブル１０１２Ａ等の対応情報を記憶するテーブルに書き込む。データ収集装置２０は、大束ＩＤ又は小束ＩＤと印刷された日時を示す情報を対応付けた対応情報を鑑査機１０から受け取り、記憶部２３に記憶させる。排除券登録装置４０は、大束Ｂに過不足のあったことを示すメッセージを出力部４６から出力する際、データ収集装置２０を参照して大束ＩＤ又は小束ＩＤと対応付けられた印刷された日時を示す情報を取得し、出力部４６から出力させる。排除券登録装置４０は、取得した日時を示す情報に基づき、日時に応じて予め決められた印刷の色を出力部４６に表示してもよい。
これにより、回収袋の中から大束Ｂ又は小束Ｓを探すときに印刷色を目印にして探すことができ、回収袋から大束Ｂ又は小束Ｓを探すときの作業効率を向上することができる。
【００７８】
上記各実施形態において、大帯印刷部１２２と小帯印刷部１３２は、時間帯に応じて予め決められた色のスタンプをさらに印刷してもよい。
これにより、回収袋の中から大束Ｂ又は小束Ｓを探すときにスタンプの印刷色を目印にして探すことができ、回収袋から大束Ｂ又は小束Ｓを探すときの作業効率を向上することができる。
【００７９】
上記各実施形態において、大帯撮影部１２５を省略して、小帯撮影部１３５だけとしてもよい。
【００８０】
以上説明した少なくともひとつの実施形態によれば、一纏めにされた結束材群、例えば回収袋につめられた複数の大帯Ｂｗ又は複数の小帯Ｓｗに対して、結束材群識別情報（例えば、大帯収納通番、小帯収納通番、大帯収納カセット回収通番、小帯収納カセット回収通番）が記載された回収票を発行する回収票発行部３２を持つことにより、大帯Ｂｗと小帯Ｓｗを探す登録作業者の作業効率を向上させることができる。
このような機能をもたず、例えば過不足のあった大束Ｂに対応する大帯Ｂｗと小帯Ｓｗを回収袋から探す場合、どの回収袋に回収されたのか不明であるため、登録作業者は、複数の袋の中を確認して、枚数が合致しない束の結束材を探さなければならず、多大な作業負担がかかっていた。少なくともひとつの実施形態によれば、大帯Ｂｗと小帯Ｓｗを探す登録作業者の負担を軽減させることができる。
【００８１】
また、結束材群識別情報は、大束Ｂから大帯Ｂｗが破封された順番に連続する一連の情報である大帯収納通番、及び、小束Ｓから小帯Ｓｗが破封された順番に連続する一連の情報である小帯収納通番である。これにより、大帯Ｂｗがつめられた回収袋に対応する大帯収納通番の開始値と付与値を、小帯Ｓｗがつめられた回収袋に対応する大帯収納通番の開始値と付与値を、回収票に印刷すれば済む。よって、回収票に印刷する情報を少なくすることができ、大帯Ｂｗ又は小帯Ｓｗがつめられた回収袋を登録作業者が探しやすくなる。
【００８２】
また、結束材群識別情報は、大帯Ｂｗが回収された順番に連続する一連の情報である大帯収納カセット回収通番、及び、小帯Ｓｗが回収された順番に連続する一連の情報である小帯収納カセット回収通番である。これにより、大帯Ｂｗがつめられた回収袋に対応する大帯収納カセット回収通番のみを、小帯Ｓｗがつめられた回収袋に対応する小帯収納カセット回収通番のみを、回収票に印刷すれば済む。よって、回収票に印刷する情報をさらに少なくすることができ、大帯Ｂｗ又は小帯Ｓｗがつめられた回収袋を登録作業者が探しやすくなる。
【００８３】
また、鑑査機１０Ａは、大帯Ｂｗ又は小帯Ｓｗが破封する前に、大帯Ｂｗ又は小帯Ｓｗを撮影する大帯撮影部１２５又は小帯撮影部１３５をさらに備える。これにより、排除券登録装置４０は、過不足のあった大束Ｂに対応する結束材群識別情報（例えば、大帯収納通番、小帯収納通番、大帯収納カセット回収通番、小帯収納カセット回収通番）とともに、撮影された大帯Ｂｗ又は小帯Ｓｗの画像を出力部４６に出力できる。よって、登録作業者は、出力部４６に出力された画像を確認した上で、回収袋から大帯Ｂｗと小帯Ｓｗを探すことができるため、探しやすくなる。
【００８４】
上記各実施形態の鑑査機１０と、データ収集装置２０と、帳票プリンタ３０と、排除券登録装置４０は、装置内部に本実施形態を実施するための機能（プログラム）が予め設定されている場合について説明したが、これに限らず同様の機能（プログラム）をネットワークから装置にダウンロードしても良いし、同様の機能（プログラム）を記録媒体に記憶させたものを装置にインストールしてもよい。記録媒体としては、光ディスク、ＵＳＢメモリ等のプログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
Ｓ…小束、Ｓｗ…小帯、Ｂ…大束、Ｂｗ…大帯、１…紙葉類処理システム、１０…鑑査機、２０…データ収集装置、２１…通信部、２２…作成部、２３…記憶部、３０…帳票プリンタ、３１…通信部、３２…回収票発行部、３３…印刷部、４０…排除券登録装置、４１…通信部、４２…読取部、４３…入力部、４４…登録部、４５…検索部、４６…出力部、１０１…投入部、１０２…大束処理部、１２１…大束搬送部、１２２…大帯印刷部、１２３…大帯破封部、１２４…大帯収納カセット、１２５…大帯撮影部、１０３…小束処理部、１３１…小束搬送部、１３２…小帯印刷部、１３３…小帯破封部、１３４…小帯収納カセット、１３５…小帯撮影部、１０４…区分処理部、１４１…紙幣搬送部、１４２…紙幣供給部、１４３…鑑別計数部、１０１０…制御部、１０１１…操作部、１０１２…記憶部、１０１２Ａ…収納通番対応テーブル、１０１２Ｂ…大帯通番開始値記憶領域、１０１２Ｃ…小帯通番開始値記憶領域、１０１２Ｄ…回収通番対応テーブル、１０１２Ｅ…大帯回収通番記憶領域、１０１２Ｆ…小帯回収通番記憶領域、１０１２Ｇ…収納通番対応テーブル、２３Ａ…収納通番対応テーブル、２３Ｄ…回収通番対応テーブル、２３Ｇ…収納通番対応テーブル
【図１】
2015170058.tif 000003
【図２】
2015170058.tif 000004
【図３】
2015170058.tif 000005
【図４】
2015170058.tif 000006
【図５】
2015170058.tif 000007
【図６】
2015170058.tif 000008
【図７】
2015170058.tif 000009
【図８】
2015170058.tif 000010
【図９】
2015170058.tif 000011
【図１０】
2015170058.tif 000012
【図１１】
2015170058.tif 000013
【図１２】
2015170058.tif 000014
【図１３】
2015170058.tif 000015
【図１４】
2015170058.tif 000016
【図１５】
2015170058.tif 000017
【図１６】
2015170058.tif 000018
【図１７】
2015170058.tif 000019
【図１８】
2015170058.tif 000020
【図１９】
2015170058.tif 000021
【図２０】
2015170058.tif 000022